(57)【特許請求の範囲】
【請求項１】
建築構造物の屋上から吊り下げられて上下動可能なゴンドラ本体と、
ゴンドラ本体に設けられており、建築構造物の壁面に沿って設けられているレールに係合する第１のレールガイドと、
ゴンドラ本体の下方に位置し、工事用の資材を保持可能な資材保持ユニットと、
ゴンドラ本体に設けられており、資材保持ユニットが連結されその資材保持ユニットを上下動させる揚重機構と、
資材保持ユニットに設けられており、第１のレールガイドの下方で、第１のレールガイドが係合しているのと同一のレールに係合する第２のレールガイドとを有し、
ゴンドラ本体と資材保持ユニットは、それぞれ独立して、同一の壁面に沿って上下動可能である、工事用ゴンドラ。
【請求項２】
ゴンドラ本体には、資材保持ユニットから取り出した資材をゴンドラ本体の内部で搬送するための搬送機構が設けられている、請求項１に記載の工事用ゴンドラ。
【請求項３】
ゴンドラ本体の底部には開閉可能な扉が設けられており、資材保持ユニットは扉の直下に位置しており、第２のレールガイドはレールから離脱可能であり、
扉が開かれ、第２のレールガイドがレールから離脱させられ、資材保持ユニットが建築構造物の壁面に沿って上昇させられると、資材保持ユニットはゴンドラ本体の内部に進入可能である、請求項１または２に記載の工事用ゴンドラ。
【請求項４】
請求項３に記載の工事用ゴンドラを用い、
資材保持ユニットに、工事に用いられる資材を予め保持させておき、
揚重機構を作動させて、第２のレールガイドをレールに沿って摺動させて資材保持ユニットを上昇させ、扉部を開いて資材保持ユニットから資材を取り出してゴンドラ本体内へ移す工程を含む工事方法。
【発明の詳細な説明】
【０００１】
【発明の属する技術分野】
本発明は、建築構造物の外壁工事などに用いられる工事用ゴンドラと工事方法に関する。
【０００２】
【従来の技術】
ビルなどの建築構造物においては、外壁の清掃や点検や漏水対処工事など建築構造物の維持管理のための日常的な工事と、外壁材の交換や建築構造物自体の用途変更に伴う大規模な改修工事が行われることがある。通常、日常的な工事は、図８に示すように、建築構造物の屋上のクレーン１０１から吊り下げられて上下動可能なゴンドラ１０２を用い、ゴンドラ１０２内に乗った作業者によって行われる。一方、大規模な改修工事では、図９に示すように、建築構造物の周囲に鋼製の枠組み足場１０３を構築して作業床とし、この枠組み足場１０３に乗った作業者によって行われる。枠組み足場１０３を用いて工事を行う場合には、例えば改修用の外壁などの工事用資材は、枠組み足場１０３の外部に設置された工事用エレベータ１０４によって搬送される。
【０００３】
近年では、高層建築構造物の大規模改修工事を行う機会が増えてきているが、高層建築構造物に対応して前記したような鋼製の枠組み足場１０３を構築するのは、コストの面からも強度の面からも困難である。したがって、このような場合には、図１０に示すように、建築構造物全体を取り囲むような連結型の大型ゴンドラ１０５を多数のクレーン１０１（一部図示省略）により建築構造物の屋上から一体的に上下動可能に吊り下げて、作業者はこの大型ゴンドラ１０５内で作業を行っている。
【０００４】
【発明が解決しようとする課題】
屋上から吊り下げられた大型ゴンドラ１０５を用いて工事を行う場合には、クレーン１０１は大型ゴンドラ１０５を吊り下げるために用いられ、工事用資材を大型ゴンドラ１０５内に搬送するために、図９に示したものと同様な工事用エレベータを設置する必要がある。しかし、例えば数十階建ての高層建築構造物において、屋上近くまで資材を搬送する搬送距離の長い大型の工事用エレベータを設置することは、施工コストの著しい上昇を招く。
【０００５】
高層建築構造物の外部に工事用エレベータを設置せずに、建築構造物内部に設置されている、建築構造物の使用者が日常的に使用する内部エレベータまたは荷物用エレベータを利用して工事用資材の搬送を行うことも考えられる。しかし、工事中も建築構造物内部を継続的に使用している場合には、工事用資材の搬送時に建築構造物の使用者の居住性を阻害する可能性がある。そのため、複数ある内部エレベータのうちのいずれかを工事用資材の搬送用に限定し、それ以外の内部エレベータは建築構造物の使用者専用にするように建築構造物の使用者との間で調整を行うことが考えられる。しかし、レイアウト上、工事用の動線と建築構造物の使用者の動線とを完全に分離させることが困難な建築構造物が多く、居住性の低下は免れない。さらに、大きな資材を運ぶ際には建築構造物の内装や家具等を傷つけないように注意しなければならない。また、建築構造物の使用者の少ない早朝および夜間や休日のみに工事用資材の搬送を行うように、内部エレベータの工事用としての使用時間を制限することも考えられるが、工事作業者の都合に合わせて任意に資材の搬送を行えず、工事の作業効率が非常に悪くなる。
【０００６】
そこで本発明の目的は、建築構造物の外部に高価な工事用エレベータを設置することや、建築構造物の内部エレベータを工事用に使用することを必要とせず、施工コストをあまり上昇させることなく、ゴンドラ内の作業者に必要に応じて自由に資材を届けることが可能な工事用ゴンドラと、それを用いる工事方法を提供することにある。
【０００７】
【課題を解決するための手段】
本発明の工事用ゴンドラは、建築構造物の屋上から吊り下げられて上下動可能なゴンドラ本体と、ゴンドラ本体に設けられており、建築構造物の壁面に沿って設けられているレールに係合する第１のレールガイドと、ゴンドラ本体の下方に位置し、工事用の資材を保持可能な資材保持ユニットと、ゴンドラ本体に設けられており、資材保持ユニットが連結されその資材保持ユニットを上下動させる揚重機構と、資材保持ユニットに設けられており、第１のレールガイドの下方で、第１のレールガイドが係合しているのと同一のレールに係合する第２のレールガイドとを有し、ゴンドラ本体と資材保持ユニットは、それぞれ独立して、同一の壁面に沿って上下動可能であることを特徴とする。
【０００８】
ゴンドラ本体には、資材保持ユニットから取り出した資材をゴンドラ本体の内部で搬送するための搬送機構が設けられていることが好ましい。そして、ゴンドラ本体の底部には開閉可能な扉が設けられており、資材保持ユニットは扉の直下に位置しており、第２のレールガイドはレールから離脱可能であり、扉が開かれ、第２のレールガイドがレールから離脱させられ、資材保持ユニットが建築構造物の壁面に沿って上昇させられると、資材保持ユニットはゴンドラ本体の内部に進入可能であることが好ましい。
【０００９】
また、本発明の工事方法は、前記した構成の工事用ゴンドラを用い、資材保持ユニットに、工事に用いられる資材を予め保持させておき、揚重機構を作動させて、第２のレールガイドをレールに沿って摺動させて資材保持ユニットを上昇させ、扉部を開いて資材保持ユニットから資材を取り出してゴンドラ本体内へ移す工程を含むことを特徴とする。
【００１０】
本発明によると、建築構造物内部の使用に支障をきたすことなく、工事用ゴンドラに必要に応じて自由に資材を搬送でき、作業効率の向上と建築構造物の内部の使用者の安全とが両立できる。しかも、資材保持ユニットが揺れることなく安定して上下し、しかもゴンドラ本体との相対位置精度がよいので、搬送作業は確実に行える。
【００１１】
【発明の実施の形態】
以下、本発明の実施の形態について図面を参照して説明する。
【００１２】
図１に本発明の工事用ゴンドラの全体図が示されており、図２にその拡大図が示されている。この工事用ゴンドラは、作業者や工事用機材が収容されるかご状のゴンドラ本体１と、このゴンドラ本体１の下方に位置する資材保持ユニット２を有している。ゴンドラ本体１は、建築構造物３の屋上に配設されているクレーン４に吊り下げられており、その外側面には、建築構造物３の外壁に設けられているレール５に係合する第１のレールガイド６が設けられている。そして、ゴンドラ本体１は、クレーン４の作動によって、建築構造物３の外壁のレール５に沿って上下動可能である。本実施形態のゴンドラ本体１は、図示しないタラップにより作業者が昇降可能な２階建て構造である。
【００１３】
本発明の工事用ゴンドラにおいて、ゴンドラ本体１の下方には、資材保持ユニット２が配設されている。この資材保持ユニット２は、工事用資材１９を保持可能な小型のかご状であり、ゴンドラ本体１の内部に設けられた揚重機構７により吊り下げられている。資材保持ユニット２の外側面には、第１のレールガイド６の下方でレール５に係合する第２のレールガイド８が設けられている。そして、資材保持ユニット２は、揚重機構７の作動によって、建築構造物３の外壁のレール５に沿って上下動可能である。クレーン４の作動によるゴンドラ本体１の上下動と、揚重機構７による資材保持ユニット２の上下動とは、互いに独立して行われる。
【００１４】
ゴンドラ本体１の内部には、揚重機構７とは別に、資材移動用トロリー９が設けられている。この資材移動用トロリー９は、ホイストレール１０に沿ってゴンドラ本体１の内部を水平方向に移動可能であるとともに、チェーン１１を介して上下動可能なワイヤーループ１２を有している。
【００１５】
ゴンドラ本体１の底部には開閉可能な扉１３が設けられている。資材保持ユニット２は、扉１３の直下に配置されている。なお、図示しないが、揚重機構７の、資材連結ユニット２に連結されているワイヤーが貫通するように、ゴンドラ本体１には孔部が設けられており、扉１３はこのワイヤーの位置を避けて形成されるか、あるいは、開閉時にこのワイヤーに引っかからないように切り欠いた形状に形成されている。また、本実施形態のゴンドラ本体１では、扉１３の上方において、２階部分の底面（１階部分の天井）にもう１つの扉１８が設けられている。
【００１６】
このような構成の工事用ゴンドラによると、作業者がゴンドラ本体１内に乗った状態で、必要に応じて揚重機構７を作動させて資材保持ユニット２を上昇させ、扉１３のすぐ下に位置させる。そして、扉１３を開いて、資材保持ユニット２に保持されている工事用資材１９を取り出し、例えばワイヤーループ１２に工事用資材１９を保持させる。それから、必要に応じて、資材移動用トロリー９を作動させ、ワイヤーループ１２を上下方向および水平方向に任意に移動させて、資材保持ユニット２からワイヤーループ１２に移し替えられた工事用資材１９を、ゴンドラ本体１内の任意の場所に搬送することができる。こうして作業者は、工事用資材１９を必要なタイミングで必要な場所へ容易に搬送できる。なお、資材保持ユニット２から資材１９を取り出した後は、扉１３は閉じておく。
【００１７】
なお、作業者は建築構造物３の内部エレベータまたは資材保持ユニット２を用いてゴンドラ設置階に到達する。一方、工事に用いられる資材１９は、地上で資材保持ユニット２に積み込まれ、前記したように揚重機構７によってゴンドラ本体１のすぐ下まで引き上げられる。この際、高層の建築構造物３においては、資材保持ユニット２がゴンドラ本体１の近傍直下まで長い距離を引き上げられる。資材保持ユニット２が、揚重機構７のワイヤーによって長い距離を引き上げられると、風の影響で不安定に揺れたりして、建築構造物３の外壁に当接してさらにその揺れが大きくなり、ひいては、資材１９を落下させてしまうような事故を起こす可能性がある。そこで本発明では、資材保持ユニット２に第２のレールガイド８を設け、この第２のレールガイド８を、建築構造物３の外壁に設けられているレール５に嵌合させている。第２のレールガイド８がレール５に係合していることにより、資材保持ユニット２の揺れは抑えられ、レール５に沿って真っ直ぐに上下動する。従って、資材１９のゴンドラ本体１への搬送が安全に行える。
【００１８】
ゴンドラ本体１にも、安定して上下動するためにレール５に嵌合する第１のレールガイド６が設けられているので、同じレール５に嵌合する第２のレールガイド８を資材保持ユニット２に設けることによって、ゴンドラ本体１と資材保持ユニット２の相対位置関係を一定に保持することができる。これにより、前記した通り、資材保持ユニット２を確実に扉１３の直下に位置させることができ、ゴンドラ本体１内の作業者が容易かつ確実に資材１９の取り出しを行える。また、同じレール５を、ゴンドラ本体１のガイド用と、資材保持ユニット２のガイド用に共用できるので、構成が簡単である。
【００１９】
なお、本実施形態のレール５の詳細な構成が図３に示されている。この例では、建築構造物３の外壁にアンカー１４が打ち込まれてアングル１５が固定され、このアングル１５に取り付けられたゴンドラレール用方立１６に、レール５が一体的に形成されている。そして、このレール５に第１および第２のレールガイド６，８が嵌合されている。具体的には、第１および第２のレールガイド６，８は滑車であり、レール５内に挿入された後で９０度回転されることにより、レール５から離脱不能になっている。このレール５は、工事期間中のみ仮設されるのに適している。
【００２０】
また、この変形例として、図４に示すように、建築構造物３の内部に予めレール５が設けられている構成も考えられる。この場合、建築構造物３の構造体２０と外装材２１との間の隙間１７に、固定部材２４，２５やアングル２２，２３を介して、ゴンドラレール用方立１６が取り付けられている。ゴンドラレール用方立１６と一体的に形成されているレール５は、外装材２１の表面とほぼ同じ面に位置しているので、外観上目立たず、工事期間以外にも取り外されることなく常に設置されていても構わない。
【００２１】
本発明の工事用ゴンドラは、建築構造物３の外壁および外装材の改修工事や、建築構造物３の用途変更のための工事（例えばオフィス用から居住用へのリニューアル工事）や、建築構造物３の躯体改修工事など、建築構造物３の側面から作業を行うあらゆる工事において用いられる。特に、外部に工事用エレベータを設置するには多大なコストを要する高層の建築構造物３の工事において大変効果的である。
【００２２】
本実施形態では、資材保持ユニット２は上昇時に扉１３の直下に位置し、作業者が扉１３を開けて資材１９を取り出す構成であるが、揚重機構７により資材保持ユニット２がさらに上昇させられて、開かれた扉１３からゴンドラ本体１の内部まで進入する構成にすることもできる。その場合、資材保持ユニット２の第２のレールガイド８は、扉１３の下方で、自動的にまたは手動でレール５から離脱するように構成される。その場合、資材移動用トロリー９のワイヤーループ１２を昇降させる必要がない。
【００２３】
ゴンドラ本体１の構成は、図１に示す２階建て構造に限られず、１階建て構造や３階建て以上の構造に自由に変更することができる。また、ゴンドラ本体１は、図５に示すように建築構造物３の全周を取り囲む大型のもの（クレーン５の一部は図示省略）であっても、図６に示すように建築構造物の外壁の一部のみを覆う小型のものであってもよい。
【００２４】
なお、図７に、このような工事用ゴンドラを用いて工事を行う様子が概略的に示されている。この図７では、ゴンドラ本体１の天井部や側面部を一部省略して、内部の作業者が見えるようにしている。図７に示す例では、２階建て構造のゴンドラ本体１の内部に多数の作業者が乗っており、揚重機構７にワイヤーループ状の資材保持ユニット２が連結され、工事用資材（改修用外壁部材）１９が資材保持ユニット２に保持されてゴンドラ本体１の下方にぶら下がっている。そして、作業者は、ゴンドラ本体１の１階部分と２階部分でそれぞれ独立して、または１階と２階とで協働して、外壁の改修工事を行い、ゴンドラ本体１内に資材１９を補充する必要が生じたときに、揚重機構７を作動させて資材保持ユニット２を上昇させ、資材保持ユニット２に保持されている資材１９を取り出してゴンドラ本体１内に搬入し、工事を続行する。資材保持ユニット２に保持されている資材１９を全てゴンドラ本体１内に搬入したら、揚重機構７を作動させて資材保持ユニット２を地上に降ろして、地上の作業者が新たな資材１９を資材保持ユニット２に積み込むようにしてもよい。なお、図７では、見易くするために、レール５、第１および第２のレールガイド６，８、扉１３，１８、資材移動用トロリー９などは省略している。
【００２５】
資材保持ユニット２の形状や大きさは特に限定されるものではなく、工事用の資材１９を保持可能なものであれば、かご状や箱状やフック状やワイヤーループ状などあらゆる形態の資材保持ユニット２を用いることができる。また、資材保持ユニット２は、工事用資材１９のみならず作業者をゴンドラ本体１まで運べるように、人間を乗せることができる構成であることが好ましい。
【００２６】
なお、建築構造物３の屋上のクレーン４は、普段は、図示しない屋上格納庫に格納されており、工事用ゴンドラを設置するときのみに外壁の上方にセットされる。
【００２７】
【発明の効果】
本発明によると、建築構造物の外部に高価な工事用エレベータを設置しなくても、工事用ゴンドラに資材を容易に搬送することができ、しかも、建築構造物内部の使用者に影響を及ぼすことなく、必要に応じていつでも自由に資材の搬送ができるため、工事の作業効率が向上する。特に、高層の建築構造物の工事を行う場合に、施工コストの上昇を防ぐ効果が大きい。
【００２８】
さらに、資材保持ユニットに、構造物に設けられているレールに係合する第２のレールガイドが設けられているため、資材保持ユニットが昇降時に不安定に揺れたりすることがなく、外壁への当接や資材の落下などの事故が防げる。また、ゴンドラ本体に設けられている第１のレールガイドと資材保持ユニットの第２のレールガイドが、同じレールに係合しているため、ゴンドラ本体と資材保持ユニットの相対位置関係が常に一定に保たれ、ゴンドラ本体への資材の搬送が精度よく行える。
【図面の簡単な説明】
【図１】本発明の工事用ゴンドラを示す概略断面図である。
【図２】図１の要部拡大図である。
【図３】（ａ）は本発明の工事用ゴンドラのレールガイドが係合するレールを示す断面図、（ｂ）はそのレールとレールガイドとの係合状態を示す説明図である。
【図４】（ａ）は本発明の工事用ゴンドラのレールガイドが係合するレールの他の例を示す断面図、（ｂ）はそのレールとレールガイドとの係合状態を示す説明図である。
【図５】本発明の工事用ゴンドラの一例を示す斜視図である。
【図６】本発明の工事用ゴンドラの他の例を示す斜視図である。
【図７】本発明の工事用ゴンドラを用いて工事を行う状態を概略的に示す一部切欠斜視図である。
【図８】従来の工事用ゴンドラの第１の例を示す斜視図である。
【図９】従来の枠組み足場を示す斜視図である。
【図１０】従来の工事用ゴンドラの第２の例を示す斜視図である。
【符号の説明】
１      ゴンドラ本体
２      資材保持ユニット
３      建築構造物
４      クレーン
５      レール
６      第１のレールガイド
７      揚重機構
８      第２のレールガイド
９      資材移動用トロリー
１０    ホイストレール
１１    チェーン
１２    ワイヤーループ
１３    扉
１４    アンカー
１５    アングル
１６    ゴンドラレール用方立
１７    隙間
１８    扉
１９    工事用資材
２０    構造体
２１    外装材
２２，２３    アングル
２４，２５    固定部材
【図１】
0003896298.tif 000002
【図２】
0003896298.tif 000003
【図３】
0003896298.tif 000004
【図４】
0003896298.tif 000005
【図５】
0003896298.tif 000006
【図６】
0003896298.tif 000007
【図７】
0003896298.tif 000008
【図８】
0003896298.tif 000009
【図９】
0003896298.tif 000010
【図１０】
0003896298.tif 000011